(57)【要約】  【課題】状況に応じてテント内への光を調整できる利便性の高いテントを提供すること。  【解決手段】透視可能な複数の面領域と、複数の面領域のうち隣り合う第１の面領域及び第２の面領域のいずれかに選択的に重ねられるシートと、を備えるテント。【選択図】図１
2019218682.tif 000002
【特許請求の範囲】
【請求項１】
透視可能な複数の面領域と、
前記複数の面領域のうち隣り合う第１の面領域及び第２の面領域のいずれかに選択的に重ねられるシートと
を備えることを特徴とするテント。
【請求項２】
請求項１に記載のテントであって、
前記第１の面領域と前記シートの重複領域は、光の透過度が高く、
前記第２の面領域と前記シートの重複領域は、光の透過度が低い
ことを特徴とするテント。
【請求項３】
請求項２に記載のテントであって、
前記第１の面領域は、第１の偏光方向の光を通す偏光板であり、
前記第２の面領域は、前記第１の偏光方向とは異なる第２の偏光方向の光を通す偏光板であり、
前記シートは、前記第１の偏光方向又は前記第２の偏光方向の光を通す偏光板である
ことを特徴とするテント。
【請求項４】
請求項１〜３のいずれか一項に記載のテントであって、
前記シートは、前記第１の面領域と前記第２の面領域のいずれかに選択的に重なるように、前記第１の面領域と前記第２の面領域の間の境界に軸支されている。
ことを特徴とするテント。
【請求項５】
請求項１に記載のテントであって、
複数の前記シートを備え、
前記複数の面領域は、周面を構成するように連続して配置されており、
前記複数のシートはそれぞれ、前記連続する複数の面領域の間の複数の境界に軸支されている
ことを特徴とするテント。
【請求項６】
請求項５に記載のテントであって、
前記各シートと前記各シートに対して第１の周方向の面領域の重複領域は、光の透過度が高く、
前記各シートと前記各シートに対して第２の周方向の面領域の重複領域は、光の透過度が低い
ことを特徴とするテント。
【請求項７】
請求項６に記載のテントであって、
前記複数の面領域は、交互に配置された第１の偏光方向の光を通す偏光板及び前記第１の偏光方向とは異なる第２の偏光方向の光を通す偏光板であり、
前記複数のシートは、交互に配置された前記第１の偏光方向及び前記第２の偏光方向の光を通す偏光板である
ことを特徴とするテント。
【請求項８】
請求項１〜７のいずれか一項に記載のテントであって、
前記複数の面領域を少なくとも一部の側面領域として含む錐体部
を備えることを特徴とするテント。
【請求項９】
請求項８に記載のテントであって、
前記錐体部は、２の倍数の前記面領域を備える
ことを特徴とするテント。
【請求項１０】
請求項１又は５に記載のテントであって、
前記シートの少なくとも一つは、分光シートである
ことを特徴とするテント。
【発明の詳細な説明】
【技術分野】
【０００１】
本発明は、テントに関する。
【背景技術】
【０００２】
花見、花火見物等のアウトドアレジャーが行われる時期は、急に冷え込むことがあり、防寒対策が必要となることが多い。防寒対策の一環として、テントを準備することが考えられるが、一般的なテントは不透明であり、テントの中に居ながら外の景色を楽しむには不向きである。
【０００３】
特許文献１には、透明なシートからなるテントが記載されている。
【先行技術文献】
【特許文献】
【０００４】
【特許文献１】実用新案登録第３１９３２２１号公報
【発明の概要】
【発明が解決しようとする課題】
【０００５】
特許文献１のように、テント全体が透明なシートからなるテントでは、テント内部が全部見えてしまい、プライバシーが保たれず、落ち着いて花見等を楽しむことができない。また、状況によっては、テント内を暗くしたり、テント内への光（日光や照明）を遮ったりしたいことがある。
【０００６】
本発明の目的は、状況に応じてテント内への光を調整できる利便性の高いテントを提供することにある。
【課題を解決するための手段】
【０００７】
本発明は、上記課題の少なくとも１つを解決するものであるが、その例を挙げるならば、次の通りである。すなわち、本発明の一態様であるテントは、透視可能な複数の面領域と、複数の面領域のうち隣り合う第１の面領域及び第２の面領域のいずれかに選択的に重ねられるシートと、を備える。
【０００８】
第１の面領域とシートの重複領域は、光の透過度が高く、第２の面領域とシートの重複領域は、光の透過度が低いものであってもよい。
【０００９】
第１の面領域は、第１の偏光方向の光を通す偏光板であり、第２の面領域は第１の偏光方向とは異なる第２の偏光方向の光を通す偏光板であり、シートは、第１の偏光方向又は第２の偏光方向の光を通す偏光板であってもよい。
【００１０】
シートは、第１の面領域と第２の面領域のいずれかに選択的に重なるように、第１の面領域と第２の面領域の間の境界に軸支されていてもよい。
【００１１】
複数のシートを備え、複数の面領域は周面を構成するように連続して配置されており、複数のシートはそれぞれ、連続する複数の面領域の間の複数の境界に軸支されていてもよい。
【００１２】
各シートと各シートに対して第１の周方向の面領域の重複領域は、光の透過度が高く、各シートと各シートに対して第２の周方向の面領域の重複領域は、光の透過度が低いものであってもよい。
【００１３】
複数の面領域は、交互に配置された第１の偏光方向の光を通す偏光板及び第１の偏光方向とは異なる第２の偏光方向の光を通す偏光板であり、複数のシートは、交互に配置された第１の偏光方向及び第２の偏光方向の光を通す偏光板であってもよい。
【００１４】
複数の面領域を少なくとも一部の側面領域として含む錐体部を備えていてもよい。
【００１５】
錐体部は、２の倍数の面領域を備えていてもよい。
【００１６】
シートの少なくとも一つは、分光シートであってもよい。
【発明の効果】
【００１７】
本発明によれば、状況に応じてテント内への光を調整できる利便性の高いテントを提供することができる。
【図面の簡単な説明】
【００１８】
【図１】本実施形態に係るテントの一例を示す図である。
【図２】本実施形態に係るテントの仕組みを説明する図である。
【発明を実施するための形態】
【００１９】
本発明の実施形態の例について、以下、図に基づいて説明する。
【００２０】
図１は、本実施形態に係るテントの一例を示す図であり、図１（ａ）は、テントの外観を示し、図１（ｂ）はテントに設けられるシートを示している。テント１０は、錐体部２０と、１枚以上のシート３０とを有する。錐体部２０よりも下方の外周壁部分は、一般的なテントと同様に不透明なシートで構成してもよいし、透明なシートで構成してもよい。つまり、テント１０は、複数の面領域で構成されているとも言える。なお、各面は、平面に限られず曲面であってもよい。
【００２１】
錐体部２０は、テント１０の頂部側に設けられ、その側面は、頂点から側面に沿って下方向に延びる複数の境界４０で、同じ形状の複数の領域に分割されている。なお、境界４０は、線状の領域に限られず、一定の幅を有する面状の領域であってもよい。錐体部２０は、透視可能に形成され、錐体部２０の底面は、開放されている。本実施形態では、錐体部２０は、テント１０の天井部分に位置する四角錐であり、その側面は、周方向に交互に二等辺三角形の第１の面領域２１と第２の面領域２２を有している（第１の面領域２１、第２の面領域２２、第１の面領域２１、第２の面領域２２）。すなわち、側面は第１の面領域２１と第２の面領域２２が周面を構成するように連続して配置されている。なお、錐体部２０は、側面に２の倍数の領域を有していれば、どのような錐体であってもよく、例えば、角錐に限らず円錐であってもよい。円錐の場合、側面は複数の扇型の領域を有する。
【００２２】
錐体部２０の側面の隣接する領域同士は、互いに異なる方向に偏光した光を透過させる偏光板から形成されている。具体的には、第１の面領域２１が縦方向の光を透過させる性質を持つ偏光板から形成されている場合、第２の面領域２２は横方向の光を透過させる性質を持つ偏光板から形成される。なお、本明細書において、偏光板は、偏光シートや偏光フィルム等の偏光した光を透過させる機能を持つ素材を含む意味である。
【００２３】
シート３０は、特定方向に偏光した光を透過させる偏光板である。シート３０は、錐体部２０の第１の面領域２１および第２の面領域２２と同じ形状をしている。本実施形態では、偏光方向の異なる２つのシート３０が用いられる。後に詳述するが、第１シート３１は、第１の面領域２１と同じ方向に偏光した光を透過させ、第２シート３２は第２の面領域２２と同じ方向に偏光した光を透過させる。
【００２４】
シート３０は、第１の面領域２１と第２の面領域２２の間の境界４０に一辺が軸支されている（後述する図２参照）。シート３０は、錐体部２０の内側に設けられてもよいし外側に設けられてもよい。また、シート３０の一辺が、境界４０に留められていれば、ファスナー、磁石、シール、ボタン、クリップ、縫着、接着、圧着等どのような方法で固定されていてもよい。シート３０は、境界４０を軸として、隣接する第１の面領域２１または第２の面領域２２のいずれか一方の領域を選択的に覆うように重ねられる。軸支されていない対頂点（対角）は、第１の面領域２１または第２の面領域２２の重ねたときに対応する位置にファスナー、磁石、シール、ボタン、クリップ、紐等で着脱可能に固定される。
【００２５】
図２は、本実施形態に係るテントの仕組みを説明する図である。図２は、錐体部２０を頂部方向から見た概略平面図を示している。図２（ａ）は、各シート３０が境界４０の右側の側面領域に重ねられる場合を示し、図２（ｂ）は、各シート３０が境界４０の左側の側面領域に重ねられる場合を示す。
【００２６】
複数のシート３０は、錐体部２０の四つの境界４０に、それぞれ軸支されている。具体的には、上述した第１シート３１と第２シート３２が周方向に交互に配置される。図の例では、第１の面領域２１の左側（第２の面領域２２の右側）の境界４０に第１シート３１が軸支され、第１の面領域２１の右側（第２の面領域２２の左側）の境界４０に第２シート３２が軸支されている。
【００２７】
ここで、第１シート３１と第１の面領域２１を重ねた重複領域は、第１シート３１と第１の面領域２１の偏光方向が一致することにより、ある偏光方向（第１の偏光方向と呼ぶ）の光を通過させる。すなわち、光の透過度が高いといえる。一方、第１シート３１と第２の面領域２２を重ねた重複領域は、第１シート３１と第２の面領域２２の偏光方向が不一致となることにより、光を遮断する。すなわち、光の透過度が低いといえる。
【００２８】
第２シート３２と第２の面領域２２を重ねた重複領域は、第２シート３２と第２の面領域２２の偏光方向が一致することにより、第１偏光方向と異なる偏光方向（第２の偏光方向と呼ぶ）の光を通過させる。一方、第２シート３２と第１の面領域２１を重ねた重複領域は、第２シート３２と第１の面領域２１の偏光方向が不一致となることにより、光を遮断する。
【００２９】
従って、図２（ａ）の上の図に示すように、境界４０に軸支されたシート３０を全て矢印で示す同一方向（第１の周方向と呼ぶ）に対応する側面領域に重ねると、下の図のように、それらの重複領域には特定方向の光が透過するようになる。具体的には、第１シート３１と第１の面領域２１を重ねた重複領域では、第１偏光方向の光が透過し、第２シート３２と第２の面領域２２を重ねた重複領域では、第２偏光方向の光が透過する。そのため、錐体部２０とシート３０を介した向こう側の景色を見ることができる。
【００３０】
一方、図２（ｂ）の上の図に示すように、境界４０に軸支されたシート３０を全て矢印で示す図２（ａ）と逆方向（第２の周方向と呼ぶ）に対応する側面領域に重ねると、下の図のように、それらの重複領域には光が透過しないようになる。具体的には、第１シート３１と第２の面領域２２を重ねた重複領域では、光が遮断され、第２シート３２と第１の面領域２１を重ねた重複領域では、光が遮断される。そのため、錐体部２０とシート３０を介した向こう側の景色を見ることはできない。なお、遮断とは、全く光を通さない状態に限られず、通過する光が少なく実質的に景色が見え難くなるような状態を含んでいてもよい。
【００３１】
シート３０は、テント１０の外側に軸支されてもよいし、内側に軸支されてもよい。内側に軸支されている場合は、ユーザはテント１０の外に出てシート３０の方向を変える必要がなくより簡易に透過／遮断を切り替えることができる。
【００３２】
本実施形態によれば、状況に応じてテント内への光を調整できる。
【００３３】
例えば、テント１０の一部分である錐体部２０が光を透過するように切り替えることができるため、ユーザは外の景色をみることができる。また例えば、プライバシーを保ちたい、テント内を暗くしたい、外からの光を少なくしたいなどの状況によっては、錐体部２０が光を遮断するように切り替えることもできる。なお、錐体部２０よりも下方の外周壁部分は、一般的なテントと同様に不透明なシートで構成すれば、よりプライバシーを保てるし、テント内を暗くすることもできる。
【００３４】
また例えば、テント１０は、全てのシートを同じ方向に重ねる使い方に限られず、一部のシートのみを他のシートと異なる方向に重ねるようにしてもよい。このようにすれば、錐体部２０の一部の領域を透過状態に設定し、他の部分を遮断状態に設定することができる。例えば、ユーザは、景色を見たい方向の領域のみを透明にすることができるし、特定方向からの光を遮ることもできる。
【００３５】
本発明は、上述の実施形態に限定されず、本発明の要旨の範囲内で種々の変形実施が可能である。実施形態および各変形例の２つ以上を適宜組み合わせることもできる。
【００３６】
本実施形態のある変形例では、錐体部２０は、錐体でなく、錐台であってもよい。この場合、錐台の上面は、例えば透明シート又は不透明シートで構成し、錐台の外周側面は、上述の実施形態と同様に偏光板で構成すればよい。もちろん、錐台の上面は、偏光板で構成してもよい。この場合、テントは、錐台の上面に対して着脱可能なシート（偏光板）を付属品として備えてもよい。上面の偏光方向と着脱可能シートの偏光方向を一致させれば光が透過され、上面の偏光方向とシートの偏光方向を不一致にすれば光が遮断される。
【００３７】
本実施形態の他の変形例では、錐体部２０は偏光板でない透明なシートで形成される。シート３０は、偏光板の代わりに、分光シートを用いる。分光シートは、光を回折するので、重複領域では、光が複数色に分かれて見える。例えば、花火の光が回折され、万華鏡のような花火を楽しむことができる。
【００３８】
本実施形態のさらに他の変形例では、シート３０は、境界４０に軸支されず、錐体部２０の第１の面領域２１または第２の面領域２２のいずれか一方の領域に重ねて着脱可能に固定される。シート３０の固定の仕方は特に限定されず、角のみ、或いは外周のみをファスナー、磁石、シール、ボタン、クリップ等で留めるなどして落ちないよう固定すればよい。この変形例によれば、使用者が、複数ある領域の好みの領域を選んで、光の透過・不透過を設定することができる。
【００３９】
なお、錐体部２０の複数の面領域のうち、少なくとも一部が偏光板または透明シートから構成されるものであってもよい。例えば、錐体部２０の側面の当該複数の面領域以外の領域は、不透明シートで構成されていてもよい。
【００４０】
また、偏光板から構成されるシート３０のうち少なくとも一つを、分光シートにしてもよい。この場合、分光シートは面領域に重ねられるが、偏光板からなるシート３０の上にさらに重ねられてもよい。
【００４１】
以上、本発明の実施形態及びその変形例を説明したが、上記に記載した実施形態及びその変形例は特許請求の範囲に係る発明を限定するものではない。各実施形態及びその変形例は、それぞれの特徴を組み合わせることができる。上述のいずれかのテントが、他のテントの特徴を併せ持つものであってもよい。また、実施形態及びその変形例の中で説明した特徴の組み合わせの全てが発明の課題を解決するための手段に必須であるとは限らない点に留意すべきである。
【符号の説明】
【００４２】
１０：テント
２０：錐体部
２１：第１の面領域
２２：第２の面領域
３０：シート
３１：第１シート
３２：第２シート
４０：境界
【図１】
2019218682.tif 000003
【図２】
2019218682.tif 000004